(57)【要約】      （修正有）【課題】消費電力を適切に管理し得る作業工程表の作成に資する情報を付与する電力管理装置、電力管理方法、および電力管理プログラムを提供する。【解決手段】任意の施設における作業工程表と任意の施設における消費電力予測とをともに表示部に表示させる。作業工程表および前記消費電力予測を、時間軸を合わせて表示させる。消費電力予測が閾値を超える期間を、他の期間から識別可能な態様で表示させる。作業工程表における第１の時期に任意の作業工程を登録する入力に基づいて、前記作業工程表上の前記第１の時期に前記任意の作業工程を表示させる。【選択図】図４
2015011374.tif 000002
【特許請求の範囲】
【請求項１】
任意の施設における作業工程表と前記任意の施設における消費電力予測とを、ともに、表示部に表示させる
ことを特徴とする電力管理装置。
【請求項２】
請求項１に記載の電力管理装置であって、
前記作業工程表および前記消費電力予測を、時間軸を合わせて表示させる
ことを特徴とする電力管理装置。
【請求項３】
請求項１または請求項２に記載の電力管理装置であって、
前記消費電力予測が閾値を超える期間を、他の期間から識別可能な態様で表示させる
ことを特徴とする電力管理装置。
【請求項４】
請求項１から請求項３のいずれか１項に記載の電力管理装置であって、
前記作業工程表における第１の時期に任意の作業工程を登録する入力に基づいて、前記作業工程表上の前記第１の時期に前記任意の作業工程を表示させる
ことを特徴とする電力管理装置。
【請求項５】
請求項４に記載の電力管理装置であって、
前記作業工程表上に表示する前記任意の作業工程に基づいて、前記消費電力予測を更新する
ことを特徴とする電力管理装置。
【請求項６】
請求項１から請求項５のいずれか１項に記載の電力管理装置であって、
前記作業工程表においては、複数の人員毎の任意の作業工程を表示可能である
ことを特徴とする電力管理装置。
【請求項７】
請求項６に記載の電力管理装置であって、
前記作業工程表における第２の時期に前記複数の人員に対して同時に発生する任意のイベントを登録する入力に基づいて、前記作業工程表上の前記第２の時期に前記任意のイベントを表示させる
ことを特徴とする電力管理装置。
【請求項８】
請求項７に記載の電力管理装置であって、
前記作業工程表上に表示する前記任意のイベントに基づいて、前記消費電力予測を更新する
ことを特徴とする電力管理装置。
【請求項９】
請求項１から請求項８のいずれか１項に記載の電力管理装置であって、
前記消費電力予測を、曜日に応じて変更可能である
ことを特徴とする電力管理装置。
【請求項１０】
請求項１から請求項９のいずれか１項に記載の電力管理装置であって、
前記消費電力予測を、実際の消費電力に基づいて作成可能である
ことを特徴とする電力管理装置。
【請求項１１】
任意の施設における作業工程表と前記任意の施設における消費電力予測とを、ともに、表示する
ことを特徴とする電力管理方法。
【請求項１２】
電力管理装置に、任意の施設における作業工程表と前記任意の施設における消費電力予測とを、ともに、表示部に表示させる
ことを特徴とする電力管理プログラム。
【発明の詳細な説明】
【技術分野】
【０００１】
本発明は、作業工程表を表示させる電力管理装置、電力管理方法、および電力管理プログラムに関する。
【背景技術】
【０００２】
店舗、工場などの施設において、特定の時期に行うべき特定の作業を示すために作業工程表が作成される。従来は、紙面、黒板、ホワイトボードなどへの書込みなどにより、作業工程表が作成されていたが、システムを用いて作業工程表を作成し、コンピュータディスプレイに表示する工程表表示装置が提案されている（特許文献１参照）。
【先行技術文献】
【特許文献】
【０００３】
【特許文献１】特開２０００−１８１９５３号公報
【発明の概要】
【発明が解決しようとする課題】
【０００４】
特許文献１に開示された工程表表示装置では、作業工程にキャラクタ画像あるいは文字情報などを付加することにより各作業工程の内容および進捗状況などの、作業工程における結果を容易に確認可能にするものである。しかし、このような工程表表示装置では、ユーザが作業工程表を作成する必要があり、目的に応じた作業工程表を作成するための情報を与えるものではない。
【０００５】
したがって、かかる事情に鑑みてなされた本発明の目的は、消費電力を適切に管理し得る作業工程表の作成に資する情報を付与する電力管理装置、電力管理方法、および電力管理プログラムを提供することにある。
【課題を解決するための手段】
【０００６】
上述した諸課題を解決すべく、第１の観点による電力管理装置は、
任意の施設における作業工程表と前記任意の施設における消費電力予測とを、ともに、表示部に表示させる
ことを特徴とするものである。
【０００７】
また、第２の観点による電力管理装置においては、
前記作業工程表および前記消費電力予測を、時間軸を合わせて表示させる
ことが好ましい。
【０００８】
また、第３の観点による電力管理装置においては、
前記消費電力予測が閾値を超える期間を、他の期間から識別可能な態様で表示させる
ことが好ましい。
【０００９】
また、第４の観点による電力管理装置においては、
前記作業工程表における第１の時期に任意の作業工程を登録する入力に基づいて、前記作業工程表上の前記第１の時期に前記任意の作業工程を表示させる
ことが好ましい。
【００１０】
また、第５の観点による電力管理装置においては、
前記作業工程表上に表示する前記任意の作業工程に基づいて、前記消費電力予測を更新する
ことが好ましい。
【００１１】
また、第６の観点による電力管理装置においては、
前記作業工程表においては、複数の人員毎の任意の作業工程を表示可能である
ことが好ましい。
【００１２】
また、第７の観点による電力管理装置においては、
前記作業工程表における第２の時期に前記複数の人員に対して同時に発生する任意のイベントを登録する入力に基づいて、前記作業工程表上の前記第２の時期に前記任意のイベントを表示させる
ことが好ましい。
【００１３】
また、第８の観点による電力管理装置においては、
前記作業工程表上に表示する前記任意のイベントに基づいて、前記消費電力予測を更新する
ことが好ましい。
【００１４】
また、第９の観点による電力管理装置においては、
前記消費電力予測を、曜日に応じて変更可能である
ことが好ましい。
【００１５】
また、第１０の観点による電力管理装置においては、
前記消費電力予測を、実際の消費電力に基づいて作成可能である
ことが好ましい。
【００１６】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【００１７】
例えば、本発明を方法として実現させた、第１１の観点による電力管理方法は、
任意の施設における作業工程表と前記任意の施設における消費電力予測とを、ともに、表示する
ことを特徴とするものである。
【００１８】
また、本発明をプログラムとして実現させた、第１２の観点による電力管理プログラムは、
電力管理装置に、任意の施設における作業工程表と前記任意の施設における消費電力予測とを、ともに、表示部に表示させる
ことを特徴とするものである。
【発明の効果】
【００１９】
上記のように構成された本発明に係る電力管理装置、電力管理方法、および電力管理プログラムによれば、消費電力を適切に管理し得る作業工程表の作成に資する情報を付与可能である。
【図面の簡単な説明】
【００２０】
【図１】本発明の一実施形態に係る電力管理装置を有する電力制御システムの概略構成を示す通信システム構成図である。
【図２】通常の消費電力予測を表示した統合作業工程表である。
【図３】人員名を表示した統合作業工程表である。
【図４】登録した作業工程により消費電力予測を更新させた統合作業工程表である。
【図５】第２の電力管理装置が実行する作成処理を説明するフローチャートである。
【図６】第２の電力管理装置が実行する更新処理を説明するフローチャートである。
【発明を実施するための形態】
【００２１】
以下、本発明の実施形態について、図面を参照して説明する。
【００２２】
まず、本発明の一実施形態に係る電力管理装置を有する電力制御システムについて説明する。図１は、本実施形態に係る電力制御システムの概略構成を示す通信システム構成図である。
【００２３】
図１に示すように、電力制御システム１０は、インターネット１１、複数の第１の電力管理装置１２、複数のユーザ端末１３、および第２の電力管理装置１４を有する。
【００２４】
インターネット１１は、複数の第１の電力管理装置１２、複数のユーザ端末１３、および第２の電力管理装置１４を接続し、情報および制御指示などの信号を通信する。なお、ＬＡＮ（Ｌｏｃａｌ  Ａｒｅａ  Ｎｅｔｗｏｒｋ）１５が、例えば、複数の店舗などの施設それぞれに対して構築され、各ＬＡＮ１５に少なくとも一つの第１の電力管理装置１２および少なくとも一つのユーザ端末１３が存在する。本実施形態では、同一のＬＡＮ１５内に存在する第１の電力管理装置１２とユーザ端末１３とが、第２の電力管理装置１４を介して、通信する。ただし、同一のＬＡＮ１５内の第１の電力管理装置１２とユーザ端末１３とが直接通信してもよい。
【００２５】
第１の電力管理装置１２は、例えばＥＭＳ  Ｇａｔｅｗａｙである。第１の電力管理装置１２は、自身が属する施設における商用系統から受電するデマンド電力を電力計から取得する。デマンド電力とは、デマンド時限における累積消費電力である。デマンド時限とは、店舗などを運営する事業者および電力会社の契約電力の取決めに用いられる基準時間である。第１の電力管理装置１２は、取得するデマンド電力を、定期的に第２の電力管理装置１４に送信する。また、第１の電力管理装置１２は、ポーリングにより第２の電力管理装置１４から、同じＬＡＮ１５内に存在する負荷機器の制御指示などを取得する。また、第１の電力管理装置１２は、制御指示に基づいて、同じＬＡＮ１５内に存在する負荷機器を制御可能である。
【００２６】
ユーザ端末１３は、例えばＰＣ、タブレット端末、スマートフォンなどであり表示部を有する。ユーザ端末１３は、後述する統合作業工程表情報の作成指示を発行する。また、ユーザ端末１３において、同じ施設に存在する負荷機器の制御指示を発行する。作成指示および制御指示の発行はウェブブラウザが構成する機器制御ページ上におけるユーザの操作の検出に基づく。ユーザ端末１３は、発行した作成指示および制御指示を第２の電力管理装置１４に送信する。ユーザ端末１３は、第２の電力管理装置１４から、同じＬＡＮ１５が設けられる施設における統合作業工程表情報を取得する。また、ユーザ端末１３は、取得した統合作業工程表情報に基づき、統合作業工程表を表示部に表示可能である。また、ユーザ端末１３は、同じＬＡＮ１５内に存在するセンサが測定した測定値および同じＬＡＮ１５内に存在する負荷機器の運転状態も表示可能である。ユーザ端末１３はこれらの情報を表示するときには、第２の電力管理装置１４にＨＴＴＰによりデータを取得し、ユーザ端末１３のウェブブラウザがページを形成する。
【００２７】
第２の電力管理装置１４は、例えばＥＭＳ（Ｅｎｅｒｇｙ  Ｍａｎａｇｅｍｅｎｔ  Ｓｙｓｔｅｍ）サーバである。第２の電力管理装置１４は第１の電力管理装置１２から送信されるデマンド電力を受信し、自身のメモリ１６に記憶する。また、第２の電力管理装置１４は、ユーザ端末１３が発行した作成指示および制御指示を受付ける。また、第２の電力管理装置１４は、ユーザ端末１３作成指示に基づいて、統合作業工程表情報を作成する。また、第２の電力管理装置１４は、各負荷機器の制御指示を作成する。作成した統合作業工程表情報を、ユーザ端末１３が読出す。また、受付けた制御指示、または作成した制御指示を、各第１の電力管理装置１２がポーリングにより取得する。
【００２８】
次に、第２の電力管理装置１４による統合作業工程表情報の作成およびユーザ端末１３における統合作業工程表情報について説明する。
【００２９】
ユーザ端末１３は、作成を要求する日付の指定とともに、統合作業工程表の作成を要求する操作を検出可能である。ユーザ端末１３が日付の指定および作成を要求する操作を検出するとき、ユーザ端末１３は作成指示を発行し、第２の電力管理装置１４に送信する。
【００３０】
第２の電力管理装置１４は、作成指示を受付けると、指定された日付におけるユーザ端末１３が存在する施設の通常の消費電力予測を、メモリ１６から読出す。消費電力予測は、後述する作業工程およびイベントが行われていない状態における、デマンド時限毎のデマンド時限終期におけるデマンド電力の予測値である。消費電力予測は、例えば施設の規模および負荷機器の種類などにより予め推定した予測値を事前に算出し、メモリ１６に記憶される。第２の電力管理装置１４は、第１の電力管理装置１２から取得するデマンド電力の実績値を用いて、メモリ１６に記憶した消費電力予測を更新する。デマンド電力の実績値は、月曜日から金曜日において同程度となり、土曜日および日曜日において同程度となることが一般的である。そこで、消費電力予測の事前算出および消費電力予測の更新ともに、曜日別、特に平日および土日別に行う。
【００３１】
また、第２の電力管理装置１４は、作成指示を受付けると、指定された日付において登録されている人員名をメモリ１６から読出す。人員名は後述するようにユーザ端末１３におけるユーザの操作に基づき登録され、新規に統合作業工程表を作成するときには未登録である。
【００３２】
また、第２の電力管理装置１４は、作成指示を受付けると、指定された日付において登録されている作業工程を読出した人員名別にメモリ１６から読出す。作業工程とは、例えば惣菜の調理、品出し、補充、発注などのように、施設における人員が実行する特定の作業工程である。また、第２の電力管理装置１４は、指定された日付において登録されているイベントをメモリ１６から読出す。イベントとは、例えば全体朝礼および全体終礼などの施設の複数の人員に対して同時に発生する行事である。作業工程およびイベントは後述するようにユーザ端末１３におけるユーザの操作に基づいて登録され、新規に統合作業工程表を作成するときには未登録である。
【００３３】
作業工程およびイベントにおいては、実行することによりデマンド電力が増加または減少する。例えば、惣菜の調理においてはフライヤなどに電力が消費され、品出しおよび補充においては冷蔵庫または保温庫の開放により温度維持のために電力が消費される。一方、全体朝礼などにおいては、レジ打ちなどの通常の施設運営において要する作業が不要となるため電力の消費が低減化する。デマンド電力を変化させえる作業工程およびイベントに関しては、デマンド電力の変化量が事前に算出され、第２の電力管理装置１４のメモリ１６に記憶される。第２の電力管理装置１４は、指定された日付において登録されている作業工程およびイベントを読出すときには、読出す作業工程およびイベントに対するデマンド電力の変化量もメモリ１６から読出す。
【００３４】
第２の電力管理装置１４は、読出した消費電力予測、人員名、ならびに作業工程およびイベントに基づいて、図２に示すような統合作業工程表ＩＴに相当する統合作業工程表情報を作成する。図２に示す統合作業工程表ＩＴは、例えば新規に表示する統合作業工程表であって、人員名、作業工程、およびイベントのいずれも表示されていない。
【００３５】
統合作業工程表ＩＴは、実行予定の作業工程および実行する時間を、人員毎に示す作業工程表を含む。統合作業工程表ＩＴにおいて、上端の欄は７時から２３時までの期間を示し、左端の欄は登録される人名を示す。統合作業工程表ＩＴでは、作業工程表の背景をデマンド電力の予測値の大きさに応じて色分けすることにより、消費電力予測を作業工程表と時間軸を合わせた状態でともに表示する。デマンド電力の予測値の色分けのために複数の閾値が第２の電力管理装置１４のメモリ１６に記憶されており、色分けのために読出される。
【００３６】
例えば、本実施形態では、第１の閾値および第２の閾値が色分けのために、事前に定められる。第２の電力管理装置１４は、デマンド電力の予測値が第１の閾値未満であるデマンド時限の背景を緑色に色付ける（符号“Ｇ”参照）。第２の電力管理装置１４は、デマンド電力の予測値が第１の閾値以上且つ第２の閾値未満であるデマンド時限の背景を橙色に色付ける（符号“Ｏ”参照）。第２の電力管理装置１４は、デマンド電力の予測値が第２の閾値以上であるデマンド時限の背景を赤色に色付ける（符号“Ｒ”参照）。
【００３７】
ユーザ端末１３は、第２の電力管理装置１４が作成した統合作業工程表情報を読出し、統合作業工程表ＩＴを表示部に表示する。ユーザ端末１３では、表示されている統合作業工程表ＩＴ上に、任意の人員名、任意のデマンド時限（第１の時期）に対する任意の作業工程、および任意のデマンド時限（第２の時期）に対する任意のイベントを登録する入力を検出可能である。
【００３８】
ユーザ端末１３は、任意の人員名を登録する入力を検出すると、統合作業工程表ＩＴの左端の欄に登録した人員名を表示して（図３参照）、さらに入力を検出した人員名を第２の電力管理装置１４に送信する。ユーザ端末１３は、任意のデマンド時限に対する任意の作業工程および任意のイベントを登録する入力を検出すると、入力を検出した作業工程およびイベントをデマンド時限と組合わせて、第２の電力管理装置１４に送信する。
【００３９】
第２の電力管理装置１４は、登録する人員名、作業工程、およびイベントのいずれかを受信すると、自身のメモリ１６に記憶させる。また、第２の電力管理装置１４は、指定された日付において登録された人員名、作業工程、およびイベントとともに、当該作業工程およびイベントによるデマンド電力の変化量をメモリ１６から読出す。また、第２の電力管理装置１４は、通常の消費電力予測を、読出したデマンド電力の変化量に基づいて補正する。例えば、任意の作業工程を実行する登録のあるデマンド時限において、通常のデマンド電力の予測値がａｋＷであり、当該作業工程による変化量がｂｋＷである場合に、補正後の予測値を（ａ＋ｂ）ｋＷに補正する。第２の電力管理装置１４は、補正した消費電力予測を、統合作業工程表情報に反映する。
【００４０】
ユーザ端末１３は、第２の電力管理装置１４が再度作成した統合作業工程表情報を読出し、統合作業工程表ＩＴを表示部に表示する。図４の例示においては、登録した作業工程により、９時から９時半のデマンド時限および１７時半から１８時のデマンド時限におけるデマンド電力の予測値が第１の閾値以上で第２の閾値未満となり、当該デマンド時限の背景が緑色から橙色に変化する。また、１８時から１８時半のデマンド時限におけるデマンド電力の予測値が第２の閾値以上となり、当該デマンド時限の背景が橙色から赤色に変化する。
【００４１】
特定の日付の統合作業工程表ＩＴに対して、人員名、作業工程、およびイベントを登録すると、以後に当該日付の統合作業工程表ＩＴを表示させるときには、登録した人員名、作業工程、およびイベントが示される。
【００４２】
上述の統合作業工程表ＩＴにおいては、消費電力予測を表示するが、デマンド電力の消費実績を表示することも可能である。例えば、本日以前の日付の統合作業工程表ＩＴを表示するときには、第２の電力管理装置１４は現在より前のデマンド時限においてはデマンド電力の実績値を取得している。それゆえ、第２の電力管理装置１４は、デマンド電力の実績値をデマンド電力の予測値と同様の色分けを行い、予測値の場合よりも濃度の高い色、すなわち濃い緑色、濃い橙色、および濃い赤色で表示させる。また、現在のデマンド時限は、点滅させるなどの方法により他のデマンド時限と異なるように表示される。現在のデマンド時限の色分けに関しては、第２の電力管理装置１４が、デマンド電力の測定毎、例えば１分毎に色分けの判断を行い、統合作業工程表情報、すなわち表示される統合作業工程表ＩＴに反映させる。
【００４３】
次に、本実施形態において第２の電力管理装置１４が実行する、作成処理について、図５のフローチャートを用いて説明する。第２の電力管理装置１４は、ユーザ端末１３から統合作業工程表情報の作成指示を日付の指定とともに受付けるときに、作成処理を開始する。
【００４４】
ステップＳ１００において、第２の電力管理装置１４は、指定された日付における通常の消費電力予測、すなわちデマンド時限毎の通常のデマンド電力の予測値を、メモリ１６から読出す。消費電力予測を読出すと、プロセスはステップＳ１０１に進む。
【００４５】
ステップＳ１０１では、第２の電力管理装置１４は、指定された日付における登録された人員名、作業工程、およびイベント（図４“登録情報”参照）を、メモリ１６から読出す。登録情報を読出すと、プロセスはステップＳ１０２に進む。
【００４６】
ステップＳ１０２では、第２の電力管理装置１４は、ステップＳ１００において読出した通常の消費電力予測を、およびステップＳ１０１において読出した作業工程およびイベントに基づいて消費電力予測を補正する。さらに、第２の電力管理装置１４は、補正した消費電力予測を、デマンド時限毎に色分ける。色分けを行なうと、プロセスはステップＳ１０３に進む。
【００４７】
ステップＳ１０３では、第２の電力管理装置１４は、ステップＳ１０１において読出した登録情報、ならびにステップＳ１０２において補正した消費電力予測および消費電力予測の色分けに基づいて、統合作業工程表情報を作成する。統合作業工程表情報を作成すると、作成処理を終了する。
【００４８】
次に、本実施形態において第２の電力管理装置１４が実行する、更新処理について、図６のフローチャートを用いて説明する。第２の電力管理装置１４は、統合作業工程表を表示しているユーザ端末１３から、人員名、作業工程、およびイベントの少なくとも一つを受信するときに、更新処理を開始する。
【００４９】
ステップＳ２００において、第２の電力管理装置１４は、ユーザ端末１３から受信する人員名、作業工程、およびイベントを、指定された日付に登録して、メモリ１６に記憶させる。人員名などの登録情報を記憶すると、作成処理におけるステップＳ１００からＳ１０３と同じ処理を、ステップＳ２０１からＳ２０４において実行することにより、統合作業工程表情報を作成する。統合作業工程表情報を作成すると更新処理を終了する。
【００５０】
以上のような構成の本実施形態の電力管理装置によれば、作業工程表を同じ施設における消費電力予測とともに、ユーザ端末１３に表示させる統合作業工程表ＩＴを作成可能である。作業工程表とともに消費電力予測を表示するので、デマンド時限毎に、デマンド電力を第１の閾値または第２の閾値未満に抑制させるように、作業工程を作成することが可能となる。
【００５１】
また、本実施形態の電力管理装置によれば、作業工程表と消費電力予測の時間軸を合わせて表示するので、作業工程の指定を実行してもよい時期および避けるべき時期の認識が容易となる。
【００５２】
また、本実施形態の電力管理装置によれば、消費電力予測が閾値を超える期間を、デマンド時限を単位として、他の期間から識別可能な態様で表示するので、作業工程の指定を避けるべき時期について、ユーザに注意を喚起させることが可能である。
【００５３】
また、本実施形態の電力管理装置によれば、実行時期を指定した作業工程およびイベントを統合作業工程表に表示するので、ユーザは作業工程およびイベントを実行すべき時期を容易に把握可能である。
【００５４】
また、本実施形態の電力管理装置によれば、実行時期を指定した作業工程およびイベントに基づいて、表示する消費電力予測を更新するので、任意の作業工程およびイベントの実行により消費電力を閾値未満に抑制可能であるか否かを容易に認識可能となる。
【００５５】
また、本実施形態の電力管理装置によれば、通常の消費電力予測を曜日に応じて変更可能なので、店舗などを施設とする場合に、消費電力予測の予測精度を向上可能である。
【００５６】
また、本実施形態の電力管理装置によれば、通常の消費電力予測を、実際の消費電力に基づいて作成して、更新するので、使用を続けるほど、予測精度を向上可能である。
【００５７】
本発明を諸図面や実施形態に基づき説明してきたが、当業者であれば本開示に基づき種々の変形や修正を行うことが容易であることに注意されたい。従って、これらの変形や修正は本発明の範囲に含まれることに留意されたい。
【００５８】
例えば、本実施形態において第２の電力管理装置１４が統合作業工程表情報を作成する構成であるが、第１の電力管理装置１２が統合作業工程表を作成する構成であってもよい。また、通常の第１の電力管理装置１２に電力管理プログラムをインストールし、選択肢を作成する構成であってもよい。また、本実施形態において、作業工程表の背景をデマンド電力の予測値の大きさに応じて色分けすることにより消費電力予測を表示する構成であるが、折れ線グラフおよび棒グラフのようなグラフを用いて消費電力予測を表示してもよい。
【符号の説明】
【００５９】
１０  電力制御システム
１１  インターネット
１２  電力管理装置
１３  ユーザ端末
１４  ＥＭＳ（Ｅｎｅｒｇｙ  Ｍａｎａｇｅｍｅｎｔ  Ｓｙｓｔｅｍ）サーバ
１５  ＬＡＮ（ｌｏｃａｌ  Ａｒｅａ  Ｎｅｔｗｏｒｋ）
１６  メモリ
ＩＴ  統合作業工程表
【図１】
2015011374.tif 000003
【図２】
2015011374.tif 000004
【図３】
2015011374.tif 000005
【図４】
2015011374.tif 000006
【図５】
2015011374.tif 000007
【図６】
2015011374.tif 000008